(57)【特許請求の範囲】
【請求項１】
略箱型のケースと、このケース上面に突出した複数の操作部を備えた操作体の操作によって電気的接離を行うスイッチ接点と、上記ケースに開閉可能に装着され上記操作体を覆う扉体と、上記スイッチ接点の電気的接離に応じて、送信手段からリモコン信号を送信する制御手段からなり、上記扉体内に上端が上記扉体上面から突出し、下端が複数の上記操作部に当接する、上下動可能な複数の押釦部を設けると共に、上記扉体内に一端の揺動部が上記扉体上面から突出し、略中間部の押下部が所定の複数の上記操作部上面に当接し、他端の支点部を支点として揺動可能な揺動体を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行えるものが増えている。
【０００３】
このような従来のリモコン送信機について、図４〜図６を用いて説明する。
【０００４】
図４は従来のリモコン送信機の断面図、図５は同分解斜視図であり、同図において、１は略箱型で絶縁樹脂製の上ケース、２はゴム等の操作体で、操作体２には下方の略ドーム状の薄肉部によって、各々連結形成された複数の操作部２Ａや２Ｂ、２Ｃが設けられると共に、この複数の操作部２Ａ、２Ｂ、２Ｃ上面が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４Ａが設けられ、この固定接点４Ａが各操作部２Ａ、２Ｂ、２Ｃ下面に形成されたカーボン等の可動接点４Ｂと、所定の間隙を空けて対向して複数のスイッチ接点４が形成されている。
【０００６】
また、５は絶縁樹脂製の扉体、６はゴム等の押圧体で、押圧体６には下方の略ドーム状の薄肉部によって、各々連結形成された複数の押釦部６Ａとこれより大きな形状の押釦部６Ｂが設けられると共に、この複数の押釦部６Ａや６Ｂ上面が、扉体５上面の複数の開口孔から上下動可能に突出している。
【０００７】
さらに、７は板状で絶縁樹脂製のカバーで、このカバー７が扉体５下面を覆い固着されて、押圧体６が下面をカバー７上面に当接させて扉体５内に収納されると共に、カバー７下面の複数の開口孔からは、複数の押釦部６Ａと６Ｂの下面が突出している。
【０００８】
そして、扉体５が左端部に形成された軸孔部５Ａを支点として、上ケース１に対して開閉可能に装着されると共に、この扉体５が閉じて、操作体２の操作部２Ａや２Ｂ、２Ｃ上面を覆った状態では、複数の押釦部６Ａ下面が複数の操作部２Ａ上面に、押釦部６Ｂ下面が複数の操作部２Ｂ上面に各々当接している。
【０００９】
また、配線基板３上下面には、発光ダイオード等のリモコン信号を送信する送信手段８や、液晶表示素子等の表示手段９、配線パターンを介して送信手段８や表示手段９、複数のスイッチ接点４等に接続されたマイコン等の制御手段１０が形成されると共に、上ケース１下面を絶縁樹脂製の下ケース１１が覆って、リモコン送信機が構成されている。
【００１０】
なお、扉体５上面から突出した複数の押釦部６Ａや６Ｂは電子機器の、例えば機器がエアコンであった場合、電源の入／切、或いは温度の増減等の、通常頻繁に使用されるものに用いられ、この下方の上ケース１上面から突出した複数の操作部２Ａや２Ｂ、２Ｃは、風量や風向の切換えやタイマーの時刻設定等の、比較的使用頻度の少ないものに用いられる。
【００１１】
以上の構成において、図４や図６（ａ）の斜視図に示すように、扉体５が閉じた状態で、例えば扉体５上面から突出した大きな形状の押釦部６Ｂを押圧操作すると、略ドーム状の薄肉部が弾性変形して押釦部６Ｂが下方へ移動し、押釦部６Ｂ下面がこの下方の二つの操作部２Ｂを同時に押圧する。
【００１２】
そして、この二つの操作部２Ｂが略ドーム状の薄肉部を弾性変形させて下方へ移動し、これらの下面の可動接点４Ｂが複数の固定接点４Ａと接触して、二つのスイッチ接点４の電気的接離が行われ、この電気的接離に応じて制御手段１０が、送信手段８から赤外線のリモコン信号を電子機器へ送信し、例えば、エアコンの電源の入／切が遠隔操作によって行われる。
【００１３】
また、扉体５上面から突出した複数の押釦部６Ａのいずれかを押圧操作すると、同じく操作部２Ａのいずれかが略ドーム状の薄肉部を弾性変形させて下方へ移動して、この下面のスイッチ接点４の電気的接離が行われ、これに応じて制御手段１０が送信手段８からリモコン信号を送信し、例えば、設定温度の増減等が行われる。
【００１４】
さらに、軸孔部５Ａを支点として扉体５を回転し、図６（ｂ）に示すように、扉体５が開いた状態で、上ケース１上面から突出した所定の操作部２Ａや２Ｂ、２Ｃを押圧操作すると、略ドーム状の薄肉部が弾性変形して操作部２Ａや２Ｂ、２Ｃが下方へ移動し、この下面の可動接点４Ｂが複数の固定接点４Ａと接触して、スイッチ接点４の電気的接離が行われる。
【００１５】
そして、この電気的接離に応じて制御手段１０が送信手段８からリモコン信号を送信するが、この時、扉体５と配線基板３の間に別途設けられた検知スイッチ（図示せず）等によって、扉体５が開いた状態であることを制御手段１０が検出し、上記の押釦部６Ａや６Ｂを介して押圧操作した場合とは異なるリモコン信号を電子機器へ送信して、例えば、風量や風向の切換えやタイマーの時刻設定等が遠隔操作によって行われる。
【００１６】
つまり、制御手段１０が検知スイッチ等によって扉体５の開閉状態を検出し、扉体５が開いて操作部２Ａや２Ｂ、２Ｃを直接押圧操作した場合と、扉体５が閉じて押釦部６Ａや６Ｂを介して押圧操作した場合とでは、異なるリモコン信号を送信することによって、遠隔操作する機能を増やし、機器のより多様な操作を行うことが可能なように構成されているものであった。
【００１７】
なお、この出願の発明に関連する先行技術文献情報としては、例えば、特許文献１が知られている。
【特許文献１】特開２００７−５３５１７号公報
【発明の開示】
【発明が解決しようとする課題】
【００１８】
しかしながら、上記従来のリモコン送信機においては、扉体５が閉じて押釦部６Ｂを押圧操作する場合、形状の大きな押釦部６Ｂで下方の二つの操作部２Ｂを同時に押圧しているため、押釦部６Ａを操作する場合に比べ押圧力が倍の大きさとなり、操作がしづらくなると共に、中心からずれた端部を押圧した場合、押釦部６Ｂが傾いた状態で操作されるため、誤操作が生じ易くなってしまうという課題があった。
【００１９】
本発明は、このような従来の課題を解決するものであり、誤操作がなく、確実な操作の可能なリモコン送信機を提供することを目的とする。
【課題を解決するための手段】
【００２０】
上記目的を達成するために本発明は、略箱型のケースと、このケース上面に突出した複数の操作部を備えた操作体の操作によって電気的接離を行うスイッチ接点と、ケースに開閉可能に装着され操作体を覆う扉体と、スイッチ接点の電気的接離に応じて、送信手段からリモコン信号を送信する制御手段からなり、扉体内に上端が扉体上面から突出し、下端が複数の操作部に当接する、上下動可能な複数の押釦部を設けると共に、扉体内に一端の揺動部が扉体上面から突出し、略中間部の押下部が所定の複数の操作部上面に当接し、他端の支点部を支点として揺動可能な揺動体を設けてリモコン送信機を構成したものであり、揺動体を揺動させ、略中間部の押下部で操作体を押圧することによって、押釦部と均等な力で押圧できると共に、傾きの少ない状態で操作が行えるため誤操作がなく、確実な操作を行うことが可能なリモコン送信機を得ることができるという作用を有するものである。
【発明の効果】
【００２１】
以上のように本発明によれば、誤操作がなく、確実な操作の可能なリモコン送信機を実現できるという有利な効果が得られる。
【発明を実施するための最良の形態】
【００２２】
以下、本発明の実施の形態について、図１〜図３を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるリモコン送信機の断面図、図２は同分解斜視図であり、同図において、１は略箱型でポリスチレンやＡＢＳ等の絶縁樹脂製の上ケース、２はゴムやエラストマー等の操作体で、操作体２には下方の略ドーム状の薄肉部によって、連結形成された複数の操作部２Ａや２Ｂ、２Ｃが設けられると共に、この複数の操作部２Ａ、２Ｂ、２Ｃ上面が、上ケース１上面の複数の開口孔から上下動可能に突出している。
【００２５】
そして、３は紙フェノールやガラス入りエポキシ等の配線基板で、上下面に銅箔等によって複数の配線パターン（図示せず）が形成され、この上面に操作体２が載置されると共に、配線基板３上面にはカーボン等の複数の固定接点４Ａが設けられ、この固定接点４Ａが各操作部２Ａ、２Ｂ、２Ｃ下面に形成されたカーボン等の可動接点４Ｂと、所定の間隙を空けて対向して複数のスイッチ接点４が形成されている。
【００２６】
また、１５は絶縁樹脂製の扉体、１６はゴムやエラストマー製の押圧体で、押圧体１６には下方の略ドーム状の薄肉部によって、各々連結形成された複数の押釦部１６Ａが設けられると共に、この複数の押釦部１６Ａ上面が、扉体１５上面の複数の開口孔から上下動可能に突出している。
【００２７】
さらに、１７は絶縁樹脂製の揺動体で、押圧体１６右方の挿通孔１６Ｂ上方に配置され、押釦部１６Ａより大きな形状の左端の揺動部１７Ａが、扉体１５上面の開口孔から上方へ突出すると共に、右端の二つの支持軸１７Ｂが扉体１５下面に回動可能に保持され、略中間部には下方へ突出する略小判状の押下部１７Ｃが設けられている。
【００２８】
また、１８は板状で絶縁樹脂製のカバーで、このカバー１８が扉体１５下面を覆い固着されて、押圧体１６と揺動部１７が扉体１５内に収納されると共に、カバー１８下面の複数の開口孔からは、複数の押釦部１６Ａと押下部１７Ｃの下面が突出している。
【００２９】
そして、扉体１５が左端部に形成された軸孔部１５Ａを支点として、上ケース１に対して開閉可能に装着されると共に、この扉体１５が閉じて、操作体２の操作部２Ａや２Ｂ、２Ｃ上面を覆った状態では、複数の押釦部１６Ａ下面が複数の操作部２Ａ上面に、押下部１７Ｃ下面が複数の操作部２Ｃ上面に各々当接している。
【００３０】
さらに、配線基板３上下面には、発光ダイオード等のリモコン信号を送信する送信手段８や、液晶表示素子等の表示手段９、配線パターンを介して送信手段８や表示手段９、複数のスイッチ接点４等に接続されたマイコン等の制御手段１０が形成されると共に、上ケース１下面を絶縁樹脂製の下ケース１１が覆って、リモコン送信機が構成されている。
【００３１】
なお、扉体１５上面から突出した複数の押釦部１６Ａや揺動部１７Ａは電子機器の、例えば機器がエアコンであった場合、電源の入／切、或いは温度の増減等の、通常頻繁に使用されるものに用いられ、この下方の上ケース１上面から突出した複数の操作部２Ａや２Ｂ、２Ｃは、風量や風向の切換えやタイマーの時刻設定等の、比較的使用頻度の少ないものに用いられる。
【００３２】
以上の構成において、図１や図３（ａ）の斜視図に示すように、扉体１５が閉じた状態で、例えば扉体１５上面から突出した大きな形状の揺動部１７Ａを押圧操作すると、揺動体１７が右端の二つの支持軸１７Ｂを支点として揺動し、略小判状の押下部１７Ｃ下面がこの下方の二つの操作部２Ｃを同時に押圧する。
【００３３】
そして、この二つの操作部２Ｃが略ドーム状の薄肉部を弾性変形させて下方へ移動し、これらの下面の可動接点４Ｂが複数の固定接点４Ａと接触して、二つのスイッチ接点４の電気的接離が行われ、この電気的接離に応じて制御手段１０が、送信手段８から赤外線のリモコン信号を電子機器へ送信し、例えば、エアコンの電源の入／切が遠隔操作によって行われる。
【００３４】
また、扉体１５上面から突出した複数の押釦部１６Ａのいずれかを押圧操作すると、略ドーム状の薄肉部が弾性変形して押釦部１６Ａが下方へ移動し、この下面に押圧された操作部２Ａのいずれかが、略ドーム状の薄肉部を弾性変形させて下方へ移動して、この下面のスイッチ接点４の電気的接離が行われ、これに応じて制御手段１０が送信手段８からリモコン信号を送信し、例えば、設定温度の増減等が行われる。
【００３５】
さらに、軸孔部１５Ａを支点として扉体１５を回転し、図３（ｂ）に示すように、扉体１５が開いた状態で、上ケース１上面から突出した所定の操作部２Ａや２Ｂ、２Ｃを押圧操作すると、略ドーム状の薄肉部が弾性変形して操作部２Ａや２Ｂ、２Ｃが下方へ移動し、この下面の可動接点４Ｂが複数の固定接点４Ａと接触して、スイッチ接点４の電気的接離が行われる。
【００３６】
そして、この電気的接離に応じて制御手段１０が送信手段８からリモコン信号を送信するが、この時、扉体１５と配線基板３の間に別途設けられた検知スイッチ（図示せず）等によって、扉体１５が開いた状態であることを制御手段１０が検出し、上記の揺動部１７Ａや押釦部１６Ａを介して押圧操作した場合とは異なるリモコン信号を電子機器へ送信して、例えば、風量や風向の切換えやタイマーの時刻設定等が遠隔操作によって行われる。
【００３７】
つまり、制御手段１０が検知スイッチ等によって扉体１５の開閉状態を検出し、扉体１５が開いて操作部２Ａや２Ｂ、２Ｃを直接押圧操作した場合と、扉体１５が閉じて、揺動部１７Ａや押釦部１６Ａを介して操作部２Ｃや２Ａを押圧操作した場合とでは、異なるリモコン信号を送信することによって、遠隔操作する機能を増やし、より多様な操作を行うことが可能なように構成されている。
【００３８】
そして、複数の押釦部１６Ａより形状の大きな揺動部１７Ａが揺動体１７の左端に形成され、扉体１５が閉じた状態でこれを押圧操作した際には、上述したように、揺動体１７が右端の二つの支持軸１７Ｂを支点として揺動し、略中間部に形成された略小判状の押下部１７Ｃ下面が、この下方の二つの操作部２Ｃを押圧するように構成されているため、複数の押釦部１６Ａと同じ押圧力で操作を行えるようになっている。
【００３９】
つまり、右端の支持軸１７Ｂと押下部１７Ｃの中心の間と、押下部１７Ｃと揺動部１７Ａの中心の間が、ほぼ同じ寸法となっているため、略中間部の押下部１７Ｃは二つの操作部２Ｃを同時に押圧し、この箇所には二つの操作部２Ｃ分の押圧力が加わるが、揺動部１７Ａはこの半分の、一つの操作部２Ｃ分の力で押圧操作を行うことができる。
【００４０】
すなわち、各々一つの操作部２Ａを押圧する押釦部１６Ａも、二つの操作部２Ｃを同時に押圧する揺動部１７Ａも同じ力で、均等な押圧操作を行うことが可能なように構成されている。
【００４１】
さらに、扉体１５下面に保持された右端の二つの支持軸１７Ｂを支点として、揺動体１７が揺動するため、揺動部１７Ａの中心から多少ずれた端部を押圧した場合でも、押下部１７Ｃの傾きの少ない状態で揺動が行われ、二つの操作部２Ｃのいずれかのみが押圧されるといった誤操作がなく、確実な操作を行うことができるようになっている。
【００４２】
このように本実施の形態によれば、ケース１に開閉可能に装着された扉体１５内に、左端の揺動部１７Ａが扉体１５上面から突出し、略中間部の押下部１７Ｃが複数の操作体２Ｃ上面に当接すると共に、右端の支持軸１７Ｂを支点として揺動可能な揺動体１７を設けることによって、押釦部１６Ａと均等な力で押圧できると共に、傾きの少ない状態で操作が行えるため、誤操作がなく、確実な操作を行うことが可能なリモコン送信機を得ることができるものである。
【００４３】
なお、以上の説明では、配線基板３上面の複数の固定接点４Ａと、この上面に載置された操作体２の操作部２Ａや２Ｂ、２Ｃ下面の可動接点４Ｂによって、複数のスイッチ接点４を形成した構成について説明したが、配線基板３上面の固定接点上に、略ドーム状で導電金属薄板製の可動接点を載置したものや、或いは配線基板３上に、複数の個別のプッシュスイッチを実装したもの等、様々なスイッチ接点を用いた構成においても、本発明の実施は可能である。
【産業上の利用可能性】
【００４４】
本発明によるリモコン送信機は、誤操作がなく、確実な操作を行うことが可能なものが得られ、主に各種電子機器の操作用として有用である。
【図面の簡単な説明】
【００４５】
【図１】本発明の一実施の形態によるリモコン送信機の断面図
【図２】同分解斜視図
【図３】同斜視図
【図４】従来のリモコン送信機の断面図
【図５】同分解斜視図
【図６】同斜視図
【符号の説明】
【００４６】
１  上ケース
２  操作体
２Ａ、２Ｂ、２Ｃ  操作部
３  配線基板
４  スイッチ接点
４Ａ  固定接点
４Ｂ  可動接点
８  送信手段
９  表示手段
１０  制御手段
１１  下ケース
１５  扉体
１５Ａ  軸孔部
１６  押圧体
１６Ａ  押釦部
１６Ｂ  挿通孔
１７  揺動体
１７Ａ  揺動部
１７Ｂ  支持軸
１７Ｃ  押下部
１８  カバー
【図１】
0005024069.tif 000002
【図２】
0005024069.tif 000003
【図３】
0005024069.tif 000004
【図４】
0005024069.tif 000005
【図５】
0005024069.tif 000006
【図６】
0005024069.tif 000007